(57)【要約】【課題】ベアリングシェルの必要な強度を損なうことなく、ベアリングシェルにより所定の弾性調整が可能であり、かつ、復帰特性を備えたボールジョイントを提供すること。【解決手段】原動機付き車両用のボールジョイントであって、ケーシング１と、ボールピボット２とを備え、当該ボールジョイントのジョイントボール３がベアリングシェル６内で揺動及び回動可能に支持されている前記ボールジョイントにおいて、前記ベアリングシェル６を、凹部を有しつつ当該ベアリングシェル６又は該ベアリングシェル６の構成部材を形成するために変形された金属ストリップ７を含んで形成した。
2012500946.tif 000002
【特許請求の範囲】
【請求項１】
原動機付き車両用のボールジョイントであって、ケーシング（１）と、ボールピボット（２）とを備え、当該ボールジョイントのジョイントボール（３）がベアリングシェル（６）内で揺動及び回動可能に支持されている前記ボールジョイントにおいて、
前記ベアリングシェル（６）を、凹部を有しつつ当該ベアリングシェル又は該ベアリングシェルの構成部材を形成するために変形された金属ストリップ（７）を含んで形成したことを特徴とするボールジョイント。
【請求項２】
前記凹部（１９）により前記ベアリングシェル（６）における少なくとも片側にジグザグ状あるいは歯状の部分を形成し、このジグザグ状あるいは歯状の部分の両端部を、前記ベアリングシェルの当該ボールジョイントへの取付後に前記ボールピボット（２）の軸中心線に向かって内側へ配向させるとともに、これら両端部間に隙間を生じさせるよう構成したことを特徴とする請求項１記載のボールジョイント。
【請求項３】
前記凹部をＶ字状に形成したことを特徴とする請求項１又は２記載のボールジョイント。
【請求項４】
ジグザグ状あるいは歯状の前記部分を台形状に形成したことを特徴とする請求項２記載のボールジョイント。
【請求項５】
前記凹部の深さの、該凹部の幅又はジグザグ状若しくは歯状の前記部分間の間隔に対する比を約２／３から１／３にしたことを特徴とする請求項２〜４のいずれか１項に記載のボールジョイント。
【請求項６】
前記ベアリングシェルに合わせて変形された前記金属ストリップ（７）の両端部間に突合せ部状の間隔を設けたことを特徴とする請求項１〜５のいずれか１項に記載のボールジョイント。
【請求項７】
前記間隔を０．３〜０．７ｍｍとしたことを特徴とする請求項６記載のボールジョイント。
【請求項８】
前記間隔を０．５ｍｍとしたことを特徴とする請求項６又は７記載のボールジョイント。
【請求項９】
前記ベアリングシェル（６）を構成する複数の部分（４，５）を、互いに異なる材料又は材料組成で形成したことを特徴とする請求項１〜８のいずれか１項に記載のボールジョイント。
【請求項１０】
前記ベアリングシェル（６）を複数の部分（４，５）で構成するとともに、これら部分のうち少なくとも１つを金属で形成したことを特徴とする請求項１〜９のいずれか１項に記載のボールジョイント。
【請求項１１】
前記部分（４，５）のうちいずれかを、複合材料で構成するとともに、少なくとも１つの合成樹脂層（８）を有する前記金属ストリップ（７）で形成したことを特徴とする請求項１０記載のボールジョイント。
【請求項１２】
前記ベアリングシェル（６）を複数の部分（４，５）で構成するとともに、これら部分のうち少なくとも１つに円すい状の接触面（１０）を設け、該接触面により、該部分を、前記接触面に対応する前記ケーシング（１）の内面（１１）に対して支持するよう構成したことを特徴とする請求項１〜１１のいずれか１項に記載のボールジョイント。
【請求項１３】
請求項１〜１２のいずれかに記載のボールジョイントにおけるベアリングシェルの構成部材の製造方法において、
金属ストリップ（７）から帯状のブランクを製造するステップと、
前記ブランクがベアリングシェル（６）を展開した形状を有するよう、打抜きによって前記ブランクの長手側にジグザグ状又は歯状の外形部を形成するステップと、
球状の支持面を有する前記ベアリングシェル（６）あるいは球状の支持面を有する、前記ベアリングシェル（６）の構成部分（４，５）を形成するよう前記ブランクを変形させるステップ
を行うことを特徴とする製造方法。
【発明の詳細な説明】
【技術分野】
【０００１】
本発明は、ボールジョイント及びこのボールジョイントの製造方法に関するものである。
【背景技術】
【０００２】
原動機付き車両（以下単に「車両」という。）の例えば車輪懸架部において使用されるようなボールジョイントは、ほぼ同様な構造を備えている。すなわち、このようなボールジョイントは、ケーシング及びボールピボットで構成されており、このボールピボットのジョイントボールは、複数のベアリングシェル構成部材で形成されたベアリングシェル内において揺動及び回動可能に収容されている。
【０００３】
ここで、ボールジョイントの取付時には、ジョイントボールと該ジョイントボールを包囲しているベアリングシェルの間にできる限り小さな摩擦が生じるようにする必要がある。この摩擦を測定するものとして、ボールピボットがその中立位置から揺動あるいは回動した場合のボールピボットにおいて測定可能なトルクが挙げられる。このトルクは、ベアリングシェル及びジョイントボールの表面に使用される材料のほかに、加えられる力に応じて変化する。なお、この加えられる力は、取付状態に応じて、ベアリングシェルからジョイントボールに加えられるものであり、そのため、ボールピボット及びその可動性に影響を及ぼすものとなっている。
【０００４】
ところで、アキシャルジョイントとラジアルジョイントは異なるが、その差異の重要な基準は、主に、ボールジョイントに対して作用する力の方向である。ボールピボットが傾斜していない状態での該ボールピボットの軸中心線に一致するケーシングの軸中心線に対して径方向に力が作用すればラジアルジョイントであり、この力が主に軸方向に作用すればアキシャルジョイントである。
【０００５】
また、例えば限られた周範囲においてボールジョイント内あるいは所定の許容範囲内でボールピボットを動作させることができるよう、ボールジョイントにおいて部分的にベアリングシェルの弾性が所望されることがある。そして、複数部材から成り、かつ、合成樹脂と金属の複合材料で構成されたベアリングシェル及びこれにより形成されたボールジョイントが、アキシャルジョイントの例として特許文献１に開示されている。この特許文献１によるベアリングシェルが固有の弾性を有していること、及びボールピボットが所定の範囲内で変位すること以外にも、この特許文献１に記載されたボールジョイントは更にダンパリングを備えている。
【０００６】
また、ボールジョイント用のベアリングシェルに弾性を持たせる他の方法として、ベアリングシェルに溝及び／又はスリットを形成することが挙げられる。このような方法は、例えば特許文献２に開示されており、一部材から成るベアリングシェルにも、多部材から成るベアリングシェルにも適している。
【０００７】
さらに、特許文献３には一部材から成るベアリングシェルを有するボールジョイントが開示されており、このベアリングシェルはフィルムヒンジを備える構成となっている。この特許文献３の開示内容によれば、このフィルムヒンジは、構造ユニット全体がケーシング内に設置される前に、ボールピボットにおけるジョイントボールをベアリングシェルへ設置させるものとなっている。このフィルムヒンジは、ボールジョイントの取付後にベアリングシェルの制限された変位（たわみ）を与えるとともに、追加的な弾性を与えるものとなっている。すなわち、ボールピボットは、その軸中心線に対して直角な方向にケーシング内で変位可能に支持されている。
【先行技術文献】
【特許文献】
【０００８】
【特許文献１】欧州特許出願公開第０９２２８６８号明細書
【特許文献２】独国特許出願公開第１０９８３７７号明細書
【特許文献３】独国特許第１９５４５５６７号明細書
【発明の概要】
【発明が解決しようとする課題】
【０００９】
しかしながら、多部材から成るベアリングシェルを有するボールジョイントにおいては、従来技術によっては、ベアリングシェルの十分な強度を確保しつつ該ベアリングシェルの材料及び形状により規定される特性を備えた十分な弾性調整が行えないという問題がある。
【００１０】
本発明は上記問題にかんがみてなされたもので、その目的とするところは、ベアリングシェルの必要な強度を損なうことなく、ベアリングシェルにより所定の弾性調整が可能であり、かつ、復帰特性を備えたボールジョイントを提供することにある。本発明の目的は、更にこのようなボールジョイントを製造可能な製造方法を提供することにもある。
【課題を解決するための手段】
【００１１】
上記目的は、独立請求項に記載した特徴によって達成される。また、本発明の他の実施形態は従属請求項に記載されている。
【００１２】
ケーシングと、ボールピボットとを備え、当該ボールジョイントのジョイントボールがベアリングシェル内で揺動及び回動可能に支持されている、車両用のボールジョイントは、本発明によれば、ベアリングシェルは、例えば打抜きによって製造され、かつ、変形された金属ストリップを含んで構成されている。
【００１３】
この金属ストリップは、その少なくとも片側に凹部を有しており、ベアリングシェルにはジグザグ状部分又は歯が形成されている。このジグザグ状部分又は歯の両端部は、金属ストリップの球状のベアリングシェルの形状への変形後に、ボールピボットの軸中心線に対して内方へ突出するようになっている。さらに、このジグザグ状部分又は歯の両端部は、互いに所定の間隔を有している。
【００１４】
また、この凹部、ジグザグ状部分又は歯をＶ字状に形成することが考えられ、この場合、ジグザグ状部分又は歯の先端部はとがった形状となる。このジグザグ状部分又は歯の好ましい他の形状としては、台形状のものが考えられる。なお、凹部も台形状であってもよい。
【００１５】
また、凹部の深さの、該凹部の幅又はジグザグ状若しくは歯状の前記部分間の間隔に対する比を約２／３から１／３にするのが好ましい。ベアリングシェルにおけるこのような金属ストリップにより、このベアリングシェルの強度の向上を図ることが可能である。また、本発明によるベアリングシェルにおける弾性特性及び大きな強度の組合せにより、全体として摩擦の最適化がなされた構造部材の組合せを得ることができる。
【００１６】
また、本発明によれば、ベアリングシェルを複数のベアリングシェル部分（構成部材）で構成するとともに、少なくとも１つのベアリングシェル部分を、金属ストリップを含んで構成している。
【００１７】
ボールジョイントにおけるベアリングシェルの多部材による構成によれば、設計自由度が拡大されることになる。したがって、例えば、異なる材料又は材料組成をベアリングシェルの構成部材に使用し、摩擦係数の更なる最適化を図ることが可能である。
【００１８】
さらに、ベアリングシェルの構成部材のうち少なくとも１つを全体的に金属材料で形成するか、金属を含んで形成するのが好ましい。このようにすることで、摩擦を大幅に低減することが可能である。また、このようなボールジョイントによれば、従来に比してより大きな負荷に耐えることが可能である。さらに、車両におけるボールジョイントにおいて問題となる、特にボールジョイントを長期間静止状態にした後に各摩擦相手部材とジョイントボールの間で調整可能な「剥離トルク」を防止することが可能である。
【００１９】
したがって、上述の剥離トルクによって、大きな摩耗が生じるとともに、これに伴いボールジョイントが予定よりも早く故障に至ってしまうおそれがあるため、上記のようなボールジョイントによれば、ボールジョイントの寿命の延長を図ることも可能である。なお、ベアリングシェルの構成部材の金属層の板状部材により、このベアリングシェルの構成部材は金属部材として弾性が維持されることになる。
【００２０】
また、本発明の好ましい実施形態においては、金属ストリップを備えたベアリングシェルの構成部材が複合部材で構成されているとともに少なくとも１つの合成樹脂層を備えている。こうすることで、合成樹脂の良好なダンパ特性を得ることができるとともに、金属ストリップの弾性と強度の組み合わせて合成樹脂による許容さを補償するような特性も得ることができる。なお、このとき、１つ又は複数の合成樹脂層を設けることが可能である。したがって、金属ストリップを例えば２つの合成樹脂層の間に設けることが考えられる。
【００２１】
また、他の実施形態においては、金属ストリップがその１つの表面においてケーシングの内面に直接接触している。このような構成によれば、ベアリングシェルの各構成部材をそれぞれ異なる材料あるいは材料組成で構成することが可能である。
【００２２】
また、ベアリングシェルの複数の構成部材が軸方向及び／又は径方向の力で付勢されつつケーシング内に収容されるのが好ましい。軸方向又は径方向の力の調整は、ボールジョイントの実施形態に従ってなされるようになっており、アキシャルジョイントとラジアルジョイントで異なっている。そして、ベアリングシェルあるいはその構成部材に作用する力により、後に、既に作用している力の範囲内でボールジョイントに作用する力の調整が可能となる。本発明によるボールジョイントの弾性の更なる向上及び該ボールジョイントに含まれるベアリングシェルは、取り付けられたボールジョイントにおいて、金属ストリップを有するベアリングシェルの構成部材に突合せ部状の空隙部を設けることで達成されるようになっている。なお、本発明によれば、この空隙部は、ベアリングシェルのボールピボットに対する変位の調整を可能にするためにも用いられる。
【００２３】
また、本発明によれば、この空隙部の間隔を０．３〜０．７ｍｍとし、好ましくは０．５ｍｍとしている。これにより、本発明によるベアリングシェルにおける最適な弾性係数が得られることになる。さらに、ボールピボットを介してボールジョイントに作用する力をより良好に補償するために、ベアリングシェルに弾性を持たせるとともに、ベアリングシェルの構成部分のうち少なくとも１つに円すい状の接触面を設けて該接触面によりベアリングシェルをこれに対応して形成されたケーシングの内面に対して支持するようにしている。
【００２４】
このように円すい状とすることで互いに対応するベアリングシェルの接触面とケーシングの内面が軸方向及び径方向への力が最適に受け止められることになる。このように形成されたジョイントは、アキシャルジョイントとしても、ラジアルジョイントとしても用いられることが可能である。
【００２５】
また、本発明は、上述のようなボールジョイントにおけるベアリングシェルの構成部材の製造方法において、少なくとも、
−金属ストリップから帯状のブランクを製造するステップと、
−前記ブランクがベアリングシェルを展開した形状を有するよう、打抜きによって前記ブランクの長手側にジグザグ状又は歯状の外形部を形成するステップと、
−球状の支持面を有する前記ベアリングシェルあるいは球状の支持面を有する、前記ベアリングシェルの構成部分を形成するよう前記ブランクを変形させるステップ
を行うことを特徴としている。
【００２６】
このような方法は製造技術的に簡易に実施可能であるとともに、この方法により、最適かつ負荷に応じて調整可能なベアリングシェルを提供することが可能である。また、ベアリングシェルのブランクの長手方向の片側をジグザグ状又は歯状に形成することで、当該ベアリングシェルの弾性特性を更に向上させることが可能である。
【００２７】
また、本発明によれば、ベアリングシェルのブランクを少なくとも部分的に打抜きによって得ることが可能である。このように打抜き加工を用いることで、上記ブランクの製造にかかるサイクル時間を大幅に短縮することが可能である。この打抜き加工は、孔の穿設やジグザグ状又は歯状の形状を得るのにも用いることが可能である。さらに、本発明によるベアリングシェルのブランクを、所定の工程において打抜き加工により製造することも考えられる。
【００２８】
さらに、特に板状部分については高い正確性をもって実施可能であり、そのため、ベアリングシェルの加工においてなされるような小さなサイズの構造を得ることが可能である。したがって、本発明による製造方法は特に有用である。
【００２９】
ベアリングシェルのブランクの変形及び球状のベアリングシェルの形成又は球状のベアリングシェルの構成部材の形成のために、転造加工を用いてもよい。この転造加工によれば、ベアリングシェルあるいはその構成部材の球状の形状を最適かつ高い正確性をもって得ることが可能である。
【００３０】
冒頭で既に述べたように、ボールジョイントの取付時にベアリングシェルに力を作用させておくのが好ましい。そして、この力により、ボールジョイントの取付時にボールピボットを介してベアリングシェルへ作用する力の調整が少なくともある程度なされるとともに、誤差の補償がなされる。
【００３１】
また、摩擦係数及びこれに伴い生じるボールピボットの剥離トルクをボールジョイント内であらかじめできる限り正確に限定することができるよう、ボールジョイントの構成部材の取付時に、ベアリングシェル内でのボールピボットの変位に対して必要なトルクを一定時間ごとに測定し、所定のトルクに達した場合にはボールジョイントをロックするようになっている。したがって、最後に検出されたトルクが維持されることになる。これにより、摩擦係数及びボールジョイント内で生じるトルクが確実に調整されるとともに、大量生産において繰り返すことが可能である。したがって、製造される各ボールジョイントは、同様の品質を有することとなる。
【発明の効果】
【００３２】
本発明によれば、ベアリングシェルの必要な強度を損なうことなく、ベアリングシェルにより所定の弾性調整が可能であり、かつ、復帰特性を備えたボールジョイントを提供することが可能である。また、このようなボールジョイントを製造可能な製造方法を提供することも可能である。
【図面の簡単な説明】
【００３３】
【図１】本発明によるボールジョイントの斜視図である。
【図２】ベアリングシェルの構成部分の製造工程を示す図である。
【図３】複数の層を有するベアリングシェルの第１の実施形態を示す部分断面図である。
【図４】複数の層を有するベアリングシェルの第２の実施形態を示す部分断面図である。
【発明を実施するための形態】
【００３４】
以下に本発明の実施の形態を添付図面に基づいて説明する。本発明は、この実施の形態に限定されるわけではなく、本発明の基本原則を例示するものである。また、図面は本発明の良好な理解のため非常に簡略化して記載されているとともに、本発明の理解にとって不要なものは省略してある。しかし、このようなものが本発明において存在しないわけではない。
【００３５】
図１には、アキシャルジョイントして機能するボールジョイントが空間的に示されている。このボールジョイントはケーシング１を備えており、このケーシング１内にはボールピボット２が揺動及び回動可能に支持されている。このボールピボット２のケーシング１内における支持は、当該ボールピボット２に形成されたジョイントボール３によってなされている。ここで、このジョイントボール３は、全体を符号６で示すベアリングシェル内に収容されている。
【００３６】
図１に示すボールジョイントにおいては、このベアリングシェル６は該ベアリングシェルの一部４，５の２つの部分で構成されており、ベアリングシェル６の一部４が本実施の形態においては所定の弾性を有する合成樹脂で形成されている一方、ベアリングシェル６の一部５は金属材料で構成されているかあるいは金属ストリップ７を備えている。ここで、この金属ストリップ７は転造によって製造されるとともにベアリングシェル６の一部５の球状の外形に対して変形されているため、該一部５は、当該一部５の突合せ部を形成する空隙部９を備えている。
【００３７】
一方、ベアリングシェル６における合成樹脂から成り、かつ、図１において上側に位置する一部４は円すい状の接触面１０を備えており、この接触面１０は、ケーシング１における円すい状の内面１１に対応するようになっている。このとき、ベアリングシェル６の一部４における接触面１０は、ケーシング１における内面１１に直接接触するように成っている。なお、前記一部４には、当該一部４の弾性を向上させるために、スリット１７が形成されている。
【００３８】
また、ボールピボット２は、ジョイントボール３と当該ボールピボット２にけるピン部１３の間にネック部１２を備えており、このネック部１２は、ピン部１３に比して小さな径を有しているとともに、溝状かつ弓状の外形を有している。
【００３９】
ところで、ジョイント構成部材の内部に異物（汚染物質等）又は湿気が侵入するのを防止するために、ボールジョイントは、シールベローズ１４を備えている。このシールベローズ１４は、一端においてクランプリング１５によりケーシング１の外面部に固定されており、他端においてクランプリング１６によりボールピボット２のピン部１３に固定されている。
【００４０】
図示のボールジョイントは、アキシャルジョイントとして形成されているため、車両に取り付けるためのケーシングピン１８を備えている。また、このケーシングピン１８は、ボールジョイントにおけるピン部１３の反対側におけるケーシング１に配置されているとともに締結ネジを備えることができるようになっている。
【００４１】
図２にはベアリングシェル６の一部５の各製造段階をａ）〜ｃ）で示した図が示されており、これによれば、まず、金属板あるいは金属ストリップ７から未加工鋳造品（ブランク）が製造される。なお、金属ストリップ７は、図２におけるａ）に示すように、長方形状となっている。
【００４２】
つづいて、図２におけるｂ）に示された加工工程においては、金属ストリップ７に等間隔で孔２０が穿設される。その後、打抜きダイ又は打抜きによって凹凸部１９が金属ストリップの片側に形成される。したがって、金属ストリップ７は、その片側においてジグザグ状又は歯状の歯部２１を備えることになる。さらに、図２におけるｂ）には矢印Ａが記載されており、この矢印Ａは、金属ストリップ７を、ベアリングシェル６の一部５に対して、接続するように変形させることを示している。
【００４３】
そして、図２におけるｃ）には製造が完了した状態における前記一部５の断面が例示されており、該一部５は、ボールジョイントにおけるベアリングシェルの通常の外形を有している。
【００４４】
図３には前記一部５の第１の実施例が示されており、この図３において部分的な断面図で示された前記一部５の特徴は、該一部５がその内面及び外面において合成樹脂層８で完全に包囲されている点にある。
【００４５】
一方、図４に示すベアリングジョイントは、これが合成樹脂層８のみを有している点で図３に示すものと相違している。この合成樹脂層８は、金属ストリップ７に結合されているとともに、前記一部５の内側に存在している。また、不図示の実施形態においては、金属ストリップ７と合成樹脂層８を逆にしてもよい。
【００４６】
なお、図４における間隔２２は、取付状態における歯部の端部間の間隔を示している。
【符号の説明】
【００４７】
１            ケーシング
２            ボールピボット
３            ジョイントボール
４，５        ベアリングシェルの一部
６            ベアリングシェル
７            金属ストリップ
８            合成樹脂層
９            空隙部（突合せ部）
１０          接触面
１１          ケーシングの内面
１２          ボールピボットのネック部
１３          ピン部
１４          シールベローズ
１５，１６    クランプリング
１７          スリット
１８          ケーシングピン
１９          凹凸部
２０          孔
２１          歯部
２２          間隔
【図１】
2012500946.tif 000003
【図２】
2012500946.tif 000004
【図３】
2012500946.tif 000005
【図４】
2012500946.tif 000006
【国際調査報告】
2012500946.tif 000007
2012500946.tif 000008
2012500946.tif 000009
2012500946.tif 000010
2012500946.tif 000011
2012500946.tif 000012